(57)【要約】【課題】リモコン装置の不揮発性記憶手段に修理に携わる設置業者等の電話番号や業者名を入力する時、手動入力では手間がかかり、集合住宅やマンションなど設置台数が増えるほど時間がかかってしまっていた。【解決手段】修理に携わる設置業者等の電話番号や業者名の文字情報を入力するとき、修理に携わる設置業者等の電話番号や業者名の文字情報を音楽再生装置で流せる音データにし、リモコン装置のジャックを介して音楽再生装置から入力する。そして、前記リモコン装置内の特定の変換ルールによって変換する変換手段を用いて、音データを修理に携わる設置業者等の電話番号や業者名の文字情報にもどして不揮発性記憶手段に記憶させることで短い時間で作業を終わらせることができる。【選択図】図２
2015106886.tif 000002
【特許請求の範囲】
【請求項１】
住宅設備機器の各種操作を行うための操作部と状態を表示するための状態表示部を有したリモコン装置において、前記リモコン装置に修理に携わる設置業者等の電話番号や業者名の文字情報を特定の変換ルールによって変換した音データを記憶させた音楽再生装置を接続するためのジャックと、前記ジャックを介して前記音楽再生装置から送られてきた音データを受信し、この音データを前記特定の変換ルールによって、修理に携わる設置業者等の電話番号や業者名の文字情報に変換する変換手段とを設け、さらに前記住宅設備機器本体または前記リモコン装置に設けられた電気的書き込み・消去可能な不揮発性記憶手段を備え、前記変換手段は前記ジャックを介して入力された音データを修理に携わる設置業者の電話番号や業者名の文字情報に変換し、前記不揮発性記憶手段で記憶するようにしたことを特徴とする住宅設備機器のリモコン装置。
【請求項２】
住宅設備機器の各種操作を行うための操作部と状態を表示するための状態表示部を有したリモコン装置において、前記リモコン装置に修理に携わる設置業者等の電話番号や業者名の文字情報を特定の変換ルールによって変換した音データを記憶させた音楽再生装置からの音を集音動作可能な音検出手段と、前記音検出手段で集音した音データを受信し、この音データを前記特定の変換ルールによって、修理に携わる設置業者等の電話番号や業者名の文字情報に変換する変換手段とを設け、さらに前記住宅設備機器本体または前記リモコン装置に設けられた電気的書き込み・消去可能な不揮発性記憶手段を備え、前記音検出手段で集音した音データは前記変換手段を用いて、修理に携わる設置業者等の電話番号や業者名の文字情報に変換し、前記不揮発性記憶手段で記憶するようにしたことを特徴とする住宅設備機器のリモコン装置。
【発明の詳細な説明】
【技術分野】
【０００１】
本発明は、住宅設備機器のリモコン装置のデータ入力方法に関するものである。
【背景技術】
【０００２】
従来より、この種の給湯機等の住宅設備機器のリモコン装置においては、修理に携わる設置業者等の電話番号を電気的書き込み・消去可能な不揮発性記憶手段に予め記憶させておき、業者の電話番号をリモコン装置の表示部に表示していた。（特許文献１）
【０００３】
この特許文献１には、電話番号の入力方法について記載はないが、一般にリモコン装置のボタン操作によって入力する事が行われている。
【０００４】
また、給湯機や空気調和機のような住宅設備機器はボタンの数が少ないリモコン装置で、前記不揮発性記憶手段に文字や番号を記憶させる場合、ボタンを長押し等の工夫を行い、ボタン操作によって前記不揮発性記憶手段に電話番号および業者名を記憶させていた。（特許文献２）
【先行技術文献】
【特許文献】
【０００５】
【特許文献１】特許２６７５５０８号公報
【特許文献２】特開２０１２−６７９６３号公報
【発明の概要】
【発明が解決しようとする課題】
【０００６】
しかし、集合住宅やマンションで住宅設備機器の設置台数が多いとき、同じ電話番号を一戸ずつ全戸に前記不揮発性記憶手段に記憶させるのは非常に手間がかかってしまうという問題があった。
【課題を解決するための手段】
【０００７】
本発明は上記課題を解決するため、住宅設備機器の各種操作を行うための操作部と状態を表示するための状態表示部を有したリモコン装置において、前記リモコン装置に修理に携わる設置業者等の電話番号や業者名の文字情報を特定の変換ルールによって変換した音データを記憶させた音楽再生装置を接続するためのジャックと、前記ジャックを介して前記音楽再生装置から送られてきた音データを受信し、この音データを前記特定の変換ルールによって、修理に携わる設置業者等の電話番号や業者名の文字情報に変換する変換手段とを設け、さらに前記住宅設備機器本体または前記リモコン装置に設けられた電気的書き込み・消去可能な不揮発性記憶手段を備え、前記変換手段は前記ジャックを介して入力された音データを修理に携わる設置業者の電話番号や業者名の文字情報に変換し、前記不揮発性記憶手段で記憶するようにした。
【０００８】
また、  住宅設備機器の各種操作を行うための操作部と状態を表示するための状態表示部を有したリモコン装置において、前記リモコン装置に修理に携わる設置業者等の電話番号や業者名の文字情報を特定の変換ルールによって変換した音データを記憶させた音楽再生装置音からの音を集音動作可能な音検出手段と、前記音検出手段で集音した音データを受信し、この音データを前記特定の変換ルールによって、修理に携わる設置業者等の電話番号や業者名の文字情報に変換する変換手段とを設け、さらに前記住宅設備機器本体または前記リモコン装置に設けられた電気的書き込み・消去可能な不揮発性記憶手段を備え、前記音検出手段で集音した音データは前記変換手段を用いて、修理に携わる設置業者等の電話番号や業者名の文字情報に変換し、前記不揮発性記憶手段で記憶するようにした。
【発明の効果】
【０００９】
このように本発明によれば、電気的書き込み・消去可能な不揮発性記憶手段に修理に携わる設置業者等の電話番号や業者名の文字情報を入力するとき、手間のかかる手動入力ではなく、音データによって入力できるので、複数の住宅設備機器に修理に携わる設置業者等の電話番号や業者名の文字情報を入力するときでも短い時間で簡単かつ確実に作業を終わらせることができる。
【図面の簡単な説明】
【００１０】
【図１】本発明の第１実施形態の住宅設備機器の概略構成図
【図２】本発明の第１実施形態の住宅設備機器の制御を説明するブロック構成図
【発明を実施するための形態】
【００１１】
本発明の住宅設備機器のリモコン装置の第１実施例を図１に基づいて説明する。
１は給湯機本体等の住宅設備機器、２は台所に設置されユーザーが操作することで各種の設定ができる操作部を有したリモコン装置、３は給湯設定温度や時刻や電話番号などを表示する状態表示部、４は発生した声等の音を集音動作可能な音検出手段、５は音データをオーディオケーブルを用いてリモコン装置２に入力するためのジャック、６は音楽を複数記録しておき好きなときに好きな音楽を流す事ができるポータブル音楽プレーヤーまたはスマートホンや携帯電話等の音楽を再生できる音楽再生装置である。
【００１２】
次に、本発明のリモコン装置の第１実施形態のブロック構成図について図２に基づいて説明する。
住宅設備機器１内の７は沸き上げ制御や給湯温度制御などを行うマイコン、８はリモコン装置２と制御データの通信を行うための制御データ通信手段、９は住宅設備機器１およびリモコン装置２の電源を供給するための電源供給手段である。
【００１３】
リモコン装置２内の１０はリモコン装置の制御を行うマイコン、１１は住宅設備機器１の修理に携わる設置業者等の電話番号を電気的書き込み・消去可能な不揮発性記憶手段、１２は住宅設備機器１と制御データの通信を行うための制御データ通信手段、１３はジャック５を介して音楽再生装置６から送られてきた音データを特定の変換ルール（例えばＡＳＫ変調）によって設置業者等の電話番号や業者名の文字情報に変換する変換手段であり、変換手段１３は音検出手段４から集音された音を特定の変換ルールによって設置業者等の電話番号や業者名の文字情報に変換する機能を有しているものでもある。
【００１４】
次に、音楽プレーヤーまたはスマートホンや携帯電話等の音楽再生装置６で業者の電話番号と業者名を特定の変換ルールによって音データに変換し送信する動作について説明する。
例えば、現在普及している携帯電話には多種多様なアプリケーションが配信されているスマートホンがあり、スマートホンに入力した設置業者等の電話番号や業者名を文字情報から特定の変換ルール（例えばＡＳＫ変調）によって音データに変換できるアプリを使い、予めスマートホンに設置業者等の電話番号や業者名の音データにしたものを記憶させることができる。また、ポータブル音楽プレーヤーの場合は、ＣＤやインターネットサイトなどで予め配られた設置業者等の電話番号と店名とを特定の変換ルール（例えばＡＳＫ変調）によって音データに変換したものをポータブル音楽プレーヤーに記憶させることができる。そして、ポータブル音楽プレーヤーまたは携帯電話等の音楽再生装置６で記憶している音データをジャック５を介して、リモコン装置２に送信する。または、音楽再生装置６の図示しないスピーカーからリモコン装置２の音検出手段４に直接音データを流すようにしている。
【００１５】
ここで、音データを不揮発性記憶手段１１に記憶する第１実施形態の動作について、スマートホンを用いて詳しく説明する。
まず、予め設置業者等の電話番号や業者名を音のデータに変換し記憶させてある音楽再生装置６のスマートホンを、ジャック５を介してリモコン装置２に接続し、リモコン装置２の操作部の特定操作によって記憶モードを設定してから音楽再生装置６で記憶している音データを再生させる。変換手段１３は受信した音データを特定の変換ルールによって、設置業者等の電話番号と業者名の文字情報に変換し、設置業者等の電話番号や業者名の文字情報を電気的書き込み・消去可能な不揮発性記憶手段１１に記憶させる。そして、手動でリモコン装置２を操作して修理に携わる設置業者等の電話番号や業者名を状態表示部３に表示可能にしている。
【００１６】
このように、予め音楽再生装置６に記憶させた設置業者等の電話番号や業者名の音のデータをジャック５を介してリモコン装置２に送信し、特定の変換ルールによって変換手段１３で設置業者等の電話番号や業者名の文字情報に変換したデータを不揮発性記憶手段１１に記憶させる事ができるので、手動で操作部を操作して、不揮発性記憶手段１１に記憶させるより簡単で手間がかからない。また、マンションや集合住宅で住宅設備機器１の設置台数が多いときでも音楽再生装置６に予め音データを入れておけば、短い時間で簡単かつ確実に記憶させることができる。
【００１７】
次に本発明のリモコン装置の第２実施形態のブロック構成図について図２に基づいて説明する。ここで、第１実施形態と同一のものは同一の符号を付してその説明を省略する。
まず、リモコン装置の操作部の特定操作によって記憶モードを設定すると音検出手段４で集音動作が開始され、設置業者等の電話番号や業者名を音のデータに変換し記憶させてある音楽再生装置６を再生させた音を音検出手段４が集音する。変換手段１３は受信した音データを特定の変換ルールによって、設置業者等の電話番号と業者名の文字情報に変換し、設置業者等の電話番号や業者名の文字情報を電気的書き込み・消去可能な不揮発性記憶手段１１に記憶させる。そして、手動でリモコン装置２を操作して修理に携わる設置業者等の電話番号や業者名を状態表示部３に表示可能にしている。
【００１８】
このように、予め音楽再生装置６に記憶させた設置業者等の電話番号や業者名の音のデータを音検出手段４で集音してリモコン装置２に送信し、特定の変換ルールによって変換手段１３で設置業者等の電話番号や業者名の文字情報に変換したデータを不揮発性記憶手段１１に記憶させる事ができるので、手動で操作部を操作して、不揮発性記憶手段１１に記憶させるより簡単で手間がかからない。また、マンションや集合住宅で住宅設備機器１の設置台数が多いときでも音楽再生装置６に予め音データを入れておけば、短い時間で簡単かつ確実に記憶させることができる。  そして、音楽再生装置６から文字情報を受信するときに従来より構成されている音検出手段４を用いているので、ジャック５やオーディオケーブルなど新しい構成をリモコン装置２に取り付けなくても良い。
【００１９】
なお、本発明は実施形態に限定されるものではなく、要旨を変更しない範囲で改変することを妨げるものではなく、例えば、本発明では手動でリモコン装置２を操作して、設置業者等の電話番号や業者名を状態表示部３で表示していたが、住宅設備機器１本体に備えられた各センサ（例えば、温度センサや湯量センサ）の信号に基づいて異常または故障等を検知することができる異常検知手段を設け、異常を検知すると自動で故障内容に応じた設置業者の電話番号や業者名を状態表示部３に表示させても良い。また、本発明ではリモコン装置２に不揮発性記憶手段１２を備えているが、住宅設備機器１内に備えることもできる。
【００２０】
そして、第１、第２の実施形態では、住宅設備機器１を例としてあげたが、他にも給湯機や空気調和機などリモコン装置２がついた製品でも良いものとする。また、本発明では記憶させるのは修理に携わる設置業者等の電話番号や業者名であったが、他にも製品に必要な初期設定を記憶させても良いものとする。
【符号の説明】
【００２１】
１    住宅設備機器
２    リモコン装置
３    状態表示部
４    音検出手段
５    ジャック
６    音楽再生装置
１１  不揮発性記憶手段
１２  制御データ通信手段
１３  変換手段
【図１】
2015106886.tif 000003
【図２】
2015106886.tif 000004